(57)【要約】【課題】  本発明は地震等によって左右の建物が大きく近接離間しても、その揺れ動きを吸収することができるとともに、両端部の左右の建物の躯体あるいは外壁用目地装置によって押し圧されても、両端部の天井部分に大きな隙間が生じることなく、その揺れ動きを吸収することができる天井用目地装置を得るにある。【解決手段】  左右の建物の天井部位の躯体に天井材支持具を介して取付けられた左右の天井材の目地部側の天井材支持具に両端部寄りの部位がスライド移動可能に支持された、少なくとも２個以上のスライド支持バーと、この少なくとも２個以上のスライド支持バーのほぼ中央部よりそれぞれ吊り下げられた両端部が、左右の天井材とスライド移動可能に重なり合う目地天井材支持バーと、この少なくとも２個以上の目地天井材支持バーに隙間なく前後方向にスライド移動可能に取付けられた複数個のスライドパネルを用いた目地天井パネルとで天井用目地装置を構成している。【選択図】  図２
2006328889.tif 000002
【特許請求の範囲】
【請求項１】
目地部を介して建てられた左右の建物の天井部位の躯体に天井材支持具を介して取付けられた、左右の天井材の目地部側の天井材支持具に両端部寄りの部位がスライド移動可能に支持された、少なくとも２個以上のスライド支持バーと、この少なくとも２個以上のスライド支持バーのほぼ中央部よりそれぞれ吊り下げられた両端部が、前記左右の天井材とスライド移動可能に重なり合う目地天井材支持バーと、この少なくとも２個以上の目地天井材支持バーに前後方向にスライド移動可能に取付けられた複数個のスライドパネルを用いた目地天井パネルとからなることを特徴とする天井用目地装置。
【請求項２】
目地部を介して建てられた左右の建物の天井部位の躯体に天井材支持具を介して取付けられた、左右の天井材の目地部側の天井材支持具に両端部寄りの部位がスライド移動可能に支持された、少なくとも２個以上のスライド支持バーと、この少なくとも２個以上のスライド支持バーのほぼ中央部よりそれぞれ吊り下げられた両端部が、前記左右の天井材とスライド移動可能に重なり合う目地天井材支持バーと、この少なくとも２個以上の目地天井材支持バーに前後方向にスライド移動可能に取付けられた複数個のスライドパネルを用いた目地天井パネルと、前記少なくとも２個以上のスライド支持バーのほぼ中央部を前記目地部のほぼ中央部に位置させる中央維持機構とからなることを特徴とする天井用目地装置。
【請求項３】
目地部を介して建てられた左右の建物の天井部位の躯体に天井材支持具を介して取付けられた、左右の天井材の目地部側の天井材支持具に両端部が枢支された、前記目地部の中央部に中央枢支部を有する少なくとも２個以上の中央維持機構と、この少なくとも２個の中央維持機構の中央枢支部にそれぞれ吊り下げられた両端部が、前記左右の天井材とスライド移動可能に重なり合う目地天井材支持バーと、この少なくとも２個以上の目地天井材支持バーに前後方向にスライド移動可能に取付けられた複数個のスライドパネルを用いた目地天井パネルとからなることを特徴とする天井用目地装置。
【請求項４】
目地部を介して建てられた左右の建物の天井部位の躯体に、目地部へ突出するように取付けられた左右の天井支持具の目地部側部位に、前後方向にスライド移動可能に隙間なく取付けられた左右の複数個のスライドパネルを用いた目地天井パネルと、この左右の複数個の目地天井パネルの目地部側の端部に形成された、目地部が狭くなると上方へ押し上げる左右のガイド部と、この左右のガイド部に両端部が支持される中央天井パネルと、この中央天井パネルを前記左右の天井材支持具に上下移動可能に支持するように取付ける中央天井パネル支持具とからなることを特徴とする天井用目地装置。
【請求項５】
複数個のスライドパネルを用いた目地天井パネルの両端部には、常時外方へ突出するように付勢された端部天井目地パネルが取付けられていることを特徴とする請求項１ないし請求項４いずれかに記載の天井用目地装置。
【発明の詳細な説明】
【技術分野】
【０００１】
本発明は天井用目地装置に関する。
【背景技術】
【０００２】
従来のこの種の天井用目地装置は天井目地部に左右の建物の天井材が、目地部が狭くなったり、広くなった場合に目地部の幅寸法とほぼ同じ幅寸法の目地天井パネルをスライド移動あるいは上方へ移動させて、その揺れ動きを吸収し、両端部に左右の建物が異なる前後方向に揺れ動いた場合に、その揺れ動きを吸収する端部天井目地カバーをスライド移動可能に取付けて構成している。
【０００３】
このように構成された天井用目地装置は比較的小さな異なる前後左右方向の揺れ動きは十分に吸収することができるが、免震ビル等の＋、−１０００ミリメートル程の前後方向の近接離間に対しては、天井用目地装置の端部天井目地カバーが一方の建物の躯体あるいは傾斜状態に変化する外壁用目地装置によって大きく移動され、他方の建物側に隙間が生じたり、その移動を吸収することができず端部天井目地カバーや目地天井パネルを損傷させてしまうという欠点があった。
【特許文献１】特許第３０６２６４８
【発明の開示】
【発明が解決しようとする課題】
【０００４】
本発明は以上のような従来の欠点に鑑み、地震等によって左右の建物が大きく近接離間しても、その揺れ動きを吸収することができるとともに、両端部の左右の建物の躯体あるいは外壁用目地装置によって押し圧されても、両端部の天井部分に大きな隙間が生じることなく、その揺れ動きを吸収することができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の天井部位の躯体に天井材支持具を介して取付けられた、左右の天井材の目地部側の天井材支持具に両端部寄りの部位がスライド移動可能に支持された、少なくとも２個以上のスライド支持バーと、この少なくとも２個以上のスライド支持バーのほぼ中央部よりそれぞれ吊り下げられた両端部が、前記左右の天井材とスライド移動可能に重なり合う目地天井材支持バーと、この少なくとも２個以上の目地天井材支持バーに前後方向にスライド移動可能に取付けられた複数個のスライドパネルを用いた目地天井パネルとで天井用目地装置を構成している。
【発明の効果】
【０００７】
以上の説明から明らかなように、本発明にあっては次に列挙する効果が得られる。
【０００８】
（１）目地部を介して建てられた左右の建物の天井部位の躯体に天井材支持具を介して取付けられた、左右の天井材の目地部側の天井材支持具に両端部寄りの部位がスライド移動可能に支持された、少なくとも２個以上のスライド支持バーと、この少なくとも２個以上のスライド支持バーのほぼ中央部よりそれぞれ吊り下げられた両端部が、前記左右の天井材とスライド移動可能に重なり合う目地天井材支持バーと、この少なくとも２個以上の目地天井材支持バーに前後方向にスライド移動可能に取付けられた複数個のスライドパネルを用いた目地天井パネルとで構成されているので、地震等によって左右の建物が異なる左右方向に揺れ動いた場合に、左右の天井材支持具に支持されている、少なくとも２個以上のスライド支持バーのスライド移動によって、その揺れ動きを吸収することができる。
【０００９】
（２）前記（１）によって、少なくとも２個以上の目地天井材支持バーに、前後方向にスライド移動可能に取付けられた複数個のスライドパネルを用いた目地天井パネルによって、左右の建物が異なる前後方向に揺れ動いた場合、左右の建物の躯体あるいは外壁用目地装置で押し圧される部分のスライドパネルが前後方向にスライド移動して、その揺れ動きを吸収することができる。
したがって、従来のように前後方向の移動量が天井目地パネルの移動量になるものに比べ、複数個のスライドパネルに分離されているため、その分離部に応じた移動量でよく、大きく天井目地部に隙間が生じるのを確実に防止することができ、安全に使用することができる。
【００１０】
（３）前記（１）によって、左右の建物が前後方向にいくら移動しても、複数個のスライドパネルが前後方向にスライド移動するため、端部天井目地パネルを設けなくても、損傷することなく、確実にその揺れ動きを吸収することができる。
【００１１】
（４）請求項２も前記（１）〜（３）と同様な効果が得られるとともに、中央維持機構によって複数個のスライドパネルの中央部を、常時目地部の中央部に位置させることができ、見苦しくなるのを防止することができる。
【００１２】
（５）請求項３も前記（１）〜（４）と同様な効果が得られるとともに、天井面をほぼ同一面に設定することができる。
【００１３】
（６）請求項４も前記（１）〜（４）と同様な効果が得られるとともに、よりスムーズに左右の建物の前後方向の揺れ動きを吸収することができる。
【発明を実施するための最良の形態】
【００１４】
以下、図面に示す本発明を実施するための最良の形態より、本発明を詳細に説明する。
【００１５】
図１ないし図９に示す本発明を実施するための最良の第１の形態において、１は目地部２を介して建てられた左右の建物３、３の天井部位の躯体３ａ、３ａに取付けられた、左右の天井材４、４を取付けるための左右の天井材支持具５、５に取付けられた、前記左右の天井材４、４間の目地部２を覆う本発明の天井用目地装置で、この天井用目地装置１は前記目地部側の天井材支持具５、５に両端部寄りの部位がスライド移動可能に支持された、少なくとも２個以上のスライド支持バー７、７と、この少なくとも２個以上のスライド支持バー７、７のほぼ中央部よりそれぞれ吊り下げバー８、８を介して吊り下げられた両端部が、前記左右の天井材４、４とスライド移動可能に重なり合う、前記目地部の寸法の１．５〜２倍以上の寸法の目地天井材支持バー９、９と、この少なくとも２個以上の目地天井材支持バー９、９になるべく小さな隙間で、前後方向にスライド移動可能に取付けられた複数個のスライドパネル１０、１０、１０、１０を用いた目地天井パネル１１と、前記少なくとも２個以上のスライド支持バー７、７の中央部を常時目地部２の中央部に位置させる少なくとも２個以上の中央維持機構１２、１２とで構成されている。
なお、１３、１３は前記左右の建物３、３の目地部２側の外壁躯体３ｂ、３ｂ、３ｂ、３ｂに両端部が取付けられた伸縮可能な外壁用目地装置である。
【００１６】
前記天井材支持具５、５は天井躯体３ａ、３ａに所定間隔で吊り下げられた複数本の吊り下げ部材１４と、この複数本の吊り下げ部材１４の下端部に取付けられた天井材４が直接あるいは天井材取付板を介して取付けられる格子状の天井材取付枠１５とで構成されている。
【００１７】
前記少なくとも２個以上のスライド支持バー７、７は、前記目地部２の寸法Ｌの２倍以上の長さのバー部材で構成され、両端部は前記天井材支持具５、５の天井材取付枠１５、１５に直接支持あるいは、該天井材取付枠１５、１５の目地部２側部位に取付けられた支持台６、６上に前後左右方向にスライド移動可能に支持されている。
【００１８】
前記目地天井パネル１１は薄いリップミゾ形鋼形状に形成されたスライドパネル１０、１０、１０、１０と、このスライドパネル１０、１０、１０、１０をなるべく小さな隙間で前後方向にスライド移動可能で、脱落を防止することができる前記少なくとも２個以上のスライド支持バー７、７の底面に取付けられたほぼクランク状の４対の支持金具１６、１６と、前記スライドパネル１０、１０、１０、１０の両端部にスライド移動可能に取付けられた端部天井目地パネル１７、１７、１７、１７、１７、１７、１７、１７と、この端部天井目地パネル１７、１７、１７、１７、１７、１７、１７、１７を常時外方へ突出するように、一端部が前記端部天井目地パネル１７、１７、１７、１７、１７、１７、１７、１７のほぼ中央上面に固定され、他端部が前記スライドパネル１０、１０、１０、１０の両端部寄りの部位のほぼ中央部に位置する押し圧杆１８、１８、１８、１８、１８、１８、１８、１８と、この押し圧杆１８、１８、１８、１８、１８、１８、１８、１８の他端部をスライド移動可能に支持する、前記スライドパネル１０、１０、１０、１０の両端部寄りの部位のほぼ中央上面に取付けられたスライドケース１９、１９、１９、１９、１９、１９、１９、１９と、このスライドケース１９、１９、１９、１９、１９、１９、１９、１９内に収納された、前記押し圧杆１８、１８、１８、１８、１８、１８、１８、１８を常時外方へ突出するように付勢する付勢スプリング２０、２０、２０、２０、２０、２０、２０、２０とで構成されている。
【００１９】
前記中央維持機構１２、１２は両端部が枢支金具２１、２１によって、前記目地部側の天井材取付枠１５、１５に枢支された、パンタグラフ形状で中央部が枢支部となる伸縮リンク２２、２２と、この伸縮リンク２２、２２の中央枢支部２３、２３に前記スライド支持バー７、７のほぼ中央部間に橋渡されたバー部材２４に枢支された枢支ピン２５、２５とで構成されている。
【００２０】
上記構成の天井用目地装置１は通常時には図１および図２に示すように、天井目地部２は目地天井パネル１１によって覆われている。
地震等によって左右の建物３、３が異なる左右方向に揺れ動いた場合には、図７および図８に示すように目地天井パネル１１が中央維持機構１２、１２によって、目地部の中央部に目地天井材支持バー９、９、スライド支持バー７、７が位置し、左右の天井材４、４が左右方向にスライド移動して、その揺れ動きを吸収する。
【００２１】
左右の建物３、３が異なる前後方向に揺れ動いた場合には、図９に示すように目地天井パネル１１の両側部のスライドパネル１０、１０は左右の建物３、３の外壁躯体あるいは外壁用目地装置１３、１３によって、前後方向に押し圧されるが、この押し圧によって端部天井目地パネル１７、１７が押し圧されてスライドパネル１０、１０内へ収納されるとともに、それ以上の移動量の場合にはスライドパネル１０、１０が前後方向にスライド移動してその揺れ動きを吸収する。
この時、複数個のスライドパネル１０、１０、１０、１０は左右の建物３、３の外壁躯体あるいは外壁用目地装置１３、１３の移動量に応じてスライド移動するため、その端部に隙間が生じるのを著しく低減させることができる。
なお、目地部２が狭くなり、かつ異なる前後方向に揺れ動いても、前述と同様に複数個のスライドパネル１０、１０、１０、１０がスライド移動するとともに、左右の天井材４、４が左右方向にスライド移動してその揺れ動きを吸収する。
また、この本発明を実施するための形態ではスライド支持バー７、７の中央部を常時目地部２の中央部に位置させるために、中央維持機構１２、１２を用いるものについて説明したが、本発明はこれに限らず、スライド支持バー７、７を左右の建物方向にスプリングを用いて付勢して目地部２の中央部に位置させても良いとともに、このような機構の作動はほとんどありえないので、省略しても良い。
[発明を実施するための異なる形態]
【００２２】
次に、図１０ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１０ないし図１２に示す本発明を実施するための第２の形態において、前記本発明を実施するための最良の第１の形態と主に異なる点は、目地天井パネル１１を支持することができる、強度を有する中央維持機構１２Ａ、１２Ａを用いるとともに、この中央維持機構１２Ａ、１２Ａの中央枢支部２３、２３に吊り下げバー８、８を介して取付けられた目地天井材支持バー９Ａ、９Ａとを使用した点で、このような中央維持機構１２Ａ、１２Ａと目地天井材支持バー９Ａ、９Ａ  とを用いて構成した天井用目地装置１Ａにしても、前記本発明を実施するための最良の第１の形態と同様な作用効果が得られる。
なお、前記中央維持機構１２Ａ、１２Ａは前記本発明を実施するための最良の第１の形態で用いたパンタグラフ形状のものであってもよいが、本発明を実施する形態では四角枠形状で両端部に枢支金具１２、１２が取付けられたリンク２６と、このリンク２６の一方の対向するバー２６ａ、２６ａのほぼ中央部に、枢支ピン２７、２７で両端部が枢支された中央部に中央枢支部２３を有する中央維持バー２８とで構成されたものが使用されている。  
【００２４】
図１３ないし図１５に示す本発明を実施するための第３の形態において、前記本発明を実施するための第２の形態と主に異なる点は、目地天井材支持バー９Ａ、９Ａに端部天井目地パネルを用いない５個のスライドパネル１０Ａ、１０Ａ、１０Ａ、１０Ａ、１０Ａを前後方向にスライド移動可能に取付けた目地天井パネル１１Ａを用いた点で、このような目地天井パネル１１Ａを用いて構成した天井用目地装置１Ｂにしても、前記本発明を実施するための第２の形態と同様な作用効果が得られるとともに、端部天井目地パネルを使用しないので、構造が簡単で、安価に製造できる。
また、目地部２が狭くなり、かつ異なる前後方向の揺れ動きが生じても、スライドパネル１０Ａ、１０Ａ、１０Ａ、１０Ａ、１０Ａの中央部のスライドパネル１０Ａの両端部が左右の建物３、３の外壁躯体３ｂ、３ｂに当接しなければ押し圧されることがないので、スムーズにスライド移動させてその揺れ動きを吸収することができる。
この場合、左右の建物３、３の外壁躯体３ｂ、３ｂに当接する部位以外のスライドパネル１０Ａ、１０Ａ、１０Ａの一方の端部あるいは両方の端部に外壁用目地装置１３、１３の傾斜部分を吸収することができるように隙間を形成したり、端部天井目地パネル１７をそれぞれ設置することにより、異なる前後方向の移動を損傷したり、大きな隙間が生じることなく効率良く防止することができる。  
【００２５】
図１６ないし図１９に示す本発明を実施するための第４の形態において、前記本発明を実施するための最良の第１の形態と主に異なる点は、左右の天井材支持具５、５を目地部２内へほぼ３分の１分だけ突出させるとともに、目地部側の左右の天井材支持具５、５に複数個、本発明の実施の形態では２個づつ前後方向にスライド移動可能なスライドパネル１０、１０、１０、１０を取付けるとともに、目地部側の端部を目地部が狭くなると、上方へ押し上げることができる傾斜面２９、２９に形成し、該傾斜面２９、２９に両端部が支持される中央天井パネル３０を吊り下げバー８、８を介したスライド支持バー７、７で左右の天井材支持具５、５に支持させるとともに、必要に応じてスライド支持バー７、７に逆台形状のガイド部材３１、３１を取付け、該ガイド部材３１、３１の両側壁３１ａ、３１ａをスライド移動できるガイド片３２、３２を左右の天井材支持具５、５に取付け、目地部が狭くなると中央天井パネル３０を上方へのスライド移動をよりスムーズにした点で、このように構成した天井用目地装置１Ｃにしても、前記本発明を実施するための最良の第１の形態と同様な作用効果が得られる。
【００２６】
図２０ないし図２２に示す本発明を実施するための第５の形態において、前記本発明を実施するための最良の第１の形態と主に異なる点は、ローラ３３を取付けた４対の支持金具１６Ａ、１６Ａを用いた目地天井パネル１１Ｂを用いた点で、このような目地天井パネル１１Ｂを用いて構成した天井用目地装置１Ｄにしても、前記本発明を実施するための最良の第１の形態と同様な作用効果が得られるとともに、ローラ３３を取付けた４対の支持金具１６Ａ、１６Ａによって、スライドパネル１０、１０、１０、１０をよりスムーズに前後方向にスライド移動させることができる。
なお、ローラ３３を取付けた支持金具１６Ａは、前述の第２、第３、第４の実施の形態にも同様に使用することができる。
【産業上の利用可能性】
【００２７】
本発明は天井用目地装置を製造する産業で利用される。
【図面の簡単な説明】
【００２８】
【図１】本発明を実施するための最良の第１の形態の底面図。
【図２】図１の２−２線に沿う断面図。
【図３】図２の３−３線に沿う断面図。
【図４】本発明を実施するための最良の第１の形態の目地天井パネルの説明図。
【図５】本発明を実施するための最良の第１の形態のスライドパネルの説明図。
【図６】本発明を実施するための最良の第１の形態の中央維持機構の説明図。
【図７】本発明を実施するための最良の第１の形態の目地部が広くなった動作説明図。
【図８】本発明を実施するための最良の第１の形態の目地部が狭くなった動作説明図。
【図９】本発明を実施するための最良の第１の形態の異なる前後方向の動作説明図。
【図１０】本発明を実施するための第２の形態の底面図。
【図１１】図１０の１１−１１線に沿う断面図。
【図１２】図１１の１２−１２線に沿う断面図。
【図１３】本発明を実施するための第３の形態の底面図。
【図１４】図１３の１４−１４線に沿う断面図。
【図１５】図１４の１５−１５線に沿う断面図。
【図１６】本発明を実施するための第４の形態の底面図。
【図１７】図１６の１７−１７線に沿う断面図。
【図１８】図１７の１８−１８線に沿う断面図。
【図１９】本発明を実施するための第４の形態の目地部が狭くなった動作説明図。
【図２０】本発明を実施するための第５の形態の底面図。
【図２１】図２０の２１−２１線に沿う断面図。
【図２２】図２１の２２−２２線に沿う断面図。
【符号の説明】
【００２９】
１、１Ａ、１Ｂ、１Ｃ、１Ｄ：天井用目地装置、
２：目地部、                  ３：建物、
４：天井材、                  ５：天井材支持具、
６：支持台、                  ７：スライド支持バー、
８：吊り下げバー、            ９、９Ａ：目地天井材支持バー、
１０、１０Ａ：スライドパネル、
１１、１１Ａ、１１Ｂ：目地天井パネル、
１２、１２Ａ：中央維持機構、  １３：外壁用目地装置、
１４：吊り下げ部材、          １５：天井材取付枠、
１６、１６Ａ：支持金具、      １７：端部天井目地パネル、
１８：押し圧杆、              １９：スライドケース、
２０：付勢スプリング、        ２１：枢支金具、
２２：伸縮リンク、            ２３：中央枢支部、
２４：バー部材、              ２５：枢支ピン、
２６：リンク、                ２７：枢支ピン、
２８：中央維持バー、          ２９：傾斜面、
３０：中央天井パネル、        ３１：ガイド部材、
３２：ガイド片、              ３３：ローラ。
【図１】
2006328889.tif 000003
【図２】
2006328889.tif 000004
【図３】
2006328889.tif 000005
【図４】
2006328889.tif 000006
【図５】
2006328889.tif 000007
【図６】
2006328889.tif 000008
【図７】
2006328889.tif 000009
【図８】
2006328889.tif 000010
【図９】
2006328889.tif 000011
【図１０】
2006328889.tif 000012
【図１１】
2006328889.tif 000013
【図１２】
2006328889.tif 000014
【図１３】
2006328889.tif 000015
【図１４】
2006328889.tif 000016
【図１５】
2006328889.tif 000017
【図１６】
2006328889.tif 000018
【図１７】
2006328889.tif 000019
【図１８】
2006328889.tif 000020
【図１９】
2006328889.tif 000021
【図２０】
2006328889.tif 000022
【図２１】
2006328889.tif 000023
【図２２】
2006328889.tif 000024